(57)【要約】【課題】光ネットワーク内の光ノードにおいて方路切換機能を有し、且つハードウエアの規模が大幅に小さい光パスクロスコネクト装置を提供する。【解決手段】光クロスコネクト装置ＯＸＣを構成する複数の光クロスコネクト部のいずれにおいても、所定の光クロスコネクト部の内部接続用出力ポートが他の光クロスコネクト部の内部接続用入力ポートと直接に接続され、又は、所定の光クロスコネクト部の内部接続用出力ポートが他の光クロスコネクト部の内部接続用入力ポートと直接に接続され、且つさらに他の光クロスコネクト部の内部接続用入力ポートと該他の光クロスコネクト部を介して間接的に接続されているので、複数の光クロスコネクト部の相互間で迂回させて繰り返しルーティングでき、光クロスコネクト部或いはそれ波長選択スイッチＷＳＳなどのハードウエアの規模を大幅に削減できる。【選択図】図２
2017152749.tif 000002
【特許請求の範囲】
【請求項１】
複数本のノード間接続用光ファイバをそれぞれ介して光ノードが相互いに接続された光ネットワークにおいて、該光ノードに配置された光クロスコネクト装置であって、
前記複数本のノード間接続用光ファイバにそれぞれ接続されたノード間接続用入力ポートおよびノード間接続用出力ポートと、内部接続用入力ポートおよび内部接続用出力ポートとをそれぞれ有し、該内部接続用入力ポートおよび内部接続用出力ポートを介して環状に或いは直列的に相互接続された複数個の光クロスコネクト部を含み、
前記複数個の光クロスコネクト部は、前記ノード間接続用入力ポートおよび前記内部接続用入力ポートの数に対応する複数入力と、前記ノード間接続用出力ポートおよび前記内部接続用出力ポートの数に対応する複数出力とを有する単一の波長選択スイッチからそれぞれ構成されている
ことを特徴とする光クロスコネクト装置。
【請求項２】
前記単一の波長選択スイッチは、
前記複数入力および前記複数出力に対応する本数の、端面が直列となるように配置された複数本の光ファイバを有するファイバアレイと、
前記複数本の光ファイバのうちの前記複数入力に対応するいずれか１つから入力された波長分割多重光を受けて波長毎に分光する分光素子と、
該分光素子により分光された波長を受けて該波長の反射方向が制御されることにより、前記複数本の光ファイバのうちの前記複数出力に対応するいずれか１つへ択一的に入力させる複数のマイクロミラーアレイを有するＭＥＭＳミラーと
を、含むものである請求項１の光クロスコネクト装置。
【請求項３】
前記単一の波長選択スイッチは、
前記複数入力および前記複数出力に対応する本数の、端面が直列となるように配置された複数本の光ファイバを有するファイバアレイと、
前記複数本の光ファイバのうちの前記複数入力に対応するいずれか１つから入力された波長分割多重光を受けて波長毎に分光する分光素子と、
該分光素子により分光された波長を受けて該波長の回折方向が制御されることにより、前記複数本の光ファイバのうちの前記複数出力に対応するいずれか１つへ択一的に入力させる複数の反射画素を有する液晶素子と、
を有するものである請求項１の光クロスコネクト装置。
【請求項４】
前記複数個の光クロスコネクト部のいずれにおいても、所定の光クロスコネクト部の内部接続用出力ポートが他の光クロスコネクト部の内部接続用入力ポートと直接に接続され、且つ、該他の光クロスコネクト部の内部接続用出力ポートが前記所定の光クロスコネクト部の内部接続用入力ポートと直接に接続されている
ことを特徴とする請求項１乃至３のいずれか１の光クロスコネクト装置。
【請求項５】
前記複数個の光クロスコネクト部のいずれにおいても、所定の光クロスコネクト部の内部接続用出力ポートが他の光クロスコネクト部の内部接続用入力ポートと直接に接続され、且つ、該他の光クロスコネクト部を介して、さらに他の光クロスコネクト部の内部接続用入力ポートと間接的に接続され、前記内部接続用入力ポートと前記内部接続用出力ポートとの間を接続する内部接続用光ファイバを介して環状に連ねた状態で接続されている
ことを特徴とする請求項１乃至３のいずれか１の光クロスコネクト装置。
【請求項６】
前記所定の光クロスコネクト部および／または他の光クロスコネクト部は、増設用の内部接続用入力ポートおよび内部接続用出力ポートの少なくとも一方を備えている
ことを特徴とする請求項４の光クロスコネクト装置。
【請求項７】
前記複数個の光クロスコネクト部のうちの所定の光クロスコネクト部の内部接続用出力ポートが他の光クロスコネクト部の内部接続用入力ポートと直接に接続され、且つさらに他の光クロスコネクト部の内部接続用入力ポートと該他の光クロスコネクト部を介して間接的に接続され、
前記複数個の光クロスコネクト部のうちの少なくとも１つの光クロスコネクト部は、他の光クロスコネクト部に接続されていない増設用の内部接続用入力ポートおよび内部接続用出力ポートの少なくとも一方を備え、
前記内部接続用入力ポートと前記内部接続用出力ポートとの間を接続する内部接続用光ファイバを介して連鎖状に連なって接続されている
ことを特徴とする請求項１乃至３のいずれか１の光クロスコネクト装置。
【請求項８】
前記光クロスコネクト装置に配置された前記複数個の光クロスコネクト部の個数は、該光クロスコネクト装置が配置された光ノードに隣接する他のノードの個数と一致している
ことを特徴とする請求項１乃至７のいずれか１の光クロスコネクト装置。
【発明の詳細な説明】
【技術分野】
【０００１】
本発明は、光ネットワーク内に設けられ、入力された波長分割多重光を波長群単位或いは波長単位で所望の出力ポートから出力させることが可能な光クロスコネクト装置に関するものである。
【背景技術】
【０００２】
所定の通信波長帯のたとえば１００ＧＨｚ毎に配置された複数個の波長チャネル(wave channel or light path)にそれぞれ対応する複数の波長毎にＧＨｚからＴＨｚオーダの所定のビットレートの光信号、或は複数の該光信号を群としてまとめた波長群が複数群たとえばＭ群含む波長分割多重（ＷＤＭ：Wavelength Division Multiplexing）光が、所定の光ノードから他の複数の光ノードへ複数本(各光ノード間で一定であってもなくても構わない)ずつの光入力ファイバ(たとえばｍ本)および光出力ファイバ(たとえばｎ本)を介して光ノード間で並列的に伝送される光ネットワークが知られている。その光入力ファイバの本数たとえばｍには、隣接する複数の光ノードからの光ファイバの本数が含まれ、その光出力ファイバの本数たとえばｎには隣接する複数の光ノードへの光ファイバの本数が含まれる。このような光ネットワークにおいては、各光ノードを構成する光クロスコネクト装置が、光ファイバを介して伝送される波長分割多重光信号を、光信号のまま波長単位で、或は波長群単位でルーティングを行なうことにより、大容量低消費電力の伝送が実現される。たとえば、特許文献１に記載の光クロスコネクト装置がそれである。
【０００３】
そして、近年のＡＤＳＬやＦＴＴＨの普及、高精細動画の配信などのサービスの普及により、上記光ネットワークにおいてはトラフィック量の加速度的な増加が予想されることから、波長パスおよび光ファイバ数の増加、すなわち光ノードを構成する光クロスコネクト装置の一層の大規模化が望まれている。
【先行技術文献】
【特許文献】
【０００４】
【特許文献１】特開２００８−２５２６６４号公報
【発明の概要】
【発明が解決しようとする課題】
【０００５】
ところで、たとえば特許文献１に示される従来の光クロスコネクト装置では、その構成に波長選択スイッチ(ＷＳＳ)が用いられているが、その規模が最大でも１×２０程度に限られ、大型の光クロスコネクト装置を構成することは困難であった。すなわち、光クロスコネクト装置に用いられている波長選択スイッチ(ＷＳＳ)は、たとえば分波器として機能させる場合は、例えばMEMSミラーを用いた構成においては、複数本の光ファイバの端面の１つから出力された光を分光する回折格子と、その回折格子により分光された光を分波数と同じ個数のＭＥＭＳミラーに集光させる集光レンズと、そのＭＥＭＳミラーにより選択的に反射された光を上記集光レンズおよび回折格子を経て複数本の光ファイバの端面のうちの１つに入射させるという３次元で構成された空間光学系により波長分割多重光から波長を選択する構成を採用しているため、出力ポート数を多くすると、高精度の加工を必要として高価となるだけでなく、光損失の増大が増加するので、現存する波長選択スイッチの最大ポート数は価格を度外視すれば最大で２０程度が限界となっていて、光クロスコネクト装置の大規模化の実現が実用的に困難であった。
【０００６】
また、上記光クロスコネクト装置において、高精細動画などの配信サービスに普及に伴って光クロスコネクト装置(光ノード)に接続される光ファイバ数の増加する場合には、上記の事情からコスト的および技術的に実現が難しく、容易に対応することが出来なかった。
【０００７】
本発明は以上の事情を背景として為されたものであり、その目的とするところは、光ネットワーク内の光ノードにおいて方路切換機能を有し且つハードウエアの規模が大幅に小さく、しかも光損失の少ない光クロスコネクト装置を提供することにある。
【課題を解決するための手段】
【０００８】
上記目的を達成するための本発明の要旨とするところは、（ａ）複数本のノード間接続用光ファイバをそれぞれ介して光ノードが相互いに接続された光ネットワークにおいて、該光ノードに配置された光クロスコネクト装置であって、（ｂ）前記複数本のノード間接続用光ファイバにそれぞれ接続されたノード間接続用入力ポートおよびノード間接続用出力ポートと、内部接続用入力ポートおよび内部接続用出力ポートとをそれぞれ有し、該内部接続用入力ポートおよび内部接続用出力ポートを介して環状に或いは直列的に相互接続された複数個の光クロスコネクト部を含み、（ｃ）前記複数個の光クロスコネクト部は、前記ノード間接続用入力ポートおよび前記内部接続用入力ポートの数に対応する複数入力と、前記ノード間接続用出力ポートおよび前記内部接続用出力ポートの数に対応する複数出力とを有する単一の波長選択スイッチからそれぞれ構成されていることにある。
【発明の効果】
【０００９】
このように構成された本発明の光クロスコネクト装置は、複数本のノード間接続用光ファイバにそれぞれ接続されたノード間接続用入力ポートおよびノード間接続用出力ポートと、内部接続用入力ポートおよび内部接続用出力ポートとをそれぞれ有する複数個の光クロスコネクト部(サブシステム)を備えており、それら複数個の光クロスコネクト部のいずれにおいても、所定の光クロスコネクト部の内部接続用出力ポートが他の光クロスコネクト部の内部接続用入力ポートと直接又は間接的に相互接続されていることから、光クロスコネクト部の相互間でルーティングできるので、同一入出力ファイバ数での従来の光クロスコネクト装置と比較して、同程度のパス収容能力を有しつつ、光クロスコネクト部或いは波長選択スイッチなどのハードウエアの規模を大幅に削減できる。また、前記複数個の光クロスコネクト部は、前記ノード間接続用入力ポートおよび前記内部接続用入力ポートの数に対応する複数入力と、前記ノード間接続用出力ポートおよび前記内部接続用出力ポートの数に対応する複数出力とを有する単一の波長選択スイッチからそれぞれ構成されているので、光クロスコネクト部が大幅に小型となるとともに、従来構成の光クロスコネクトで用いられていた光カプラが不要となるので、光損失が好適に減少させられる。
【００１０】
ここで、好適には、前記単一の波長選択スイッチは、前記複数入力および前記複数出力に対応する本数の、端面が直列となるように配置された１列或は複数列の複数本の光ファイバを有するファイバアレイと、前記複数本の光ファイバのうちの前記複数入力に対応するいずれか１つから入力された波長分割多重光を受けて波長毎に分光するたとえば反射型回折格子、ミラー、或いはプリズム等の分光素子と、該分光素子により分光された波長を受けて該波長の反射方向が制御されることにより、前記複数本の光ファイバのうちの前記複数出力に対応するいずれか１つへ択一的に入力させる複数のマイクロミラーアレイを有する３次元ＭＥＭＳ(Micro Electro Mechanical Systems)ミラーとを、含むものである。このように構成された光クロスコネクト部によれば、光入力ファイバ毎に設けられて波長分割多重光をそれぞれ波長毎に分波する分波器、その分波器で分波された光パスを波長毎に方路切換を行なう波長数個の１×ｎ光スイッチ、光出力ファイバ毎に設けられてその１×ｎ光スイッチで方路切換された波長を受けて合波し光出力ファイバへ出力する１×ｎ合波器から構成された光クロスコネクト部に比較して、素子数が少なく、相対的に規模が小さくなるだけでなく、上記仮分波器または光合波器として光カプラが用いられることがなくなるので、光損失が大幅に低減される。
【００１１】
また、好適には、前記単一の波長選択スイッチは、前記複数入力および前記複数出力に対応する本数の、端面が直列となるように配置された１列或は複数列の複数本の光ファイバを有するファイバアレイと、前記複数本の光ファイバのうちの前記複数入力に対応するいずれか１つから入力された波長分割多重光を受けて波長毎に分光するたとえば反射型回折格子、ミラー、或いはプリズム等の分光素子と、該分光素子により分光された波長を受けて該波長の回折方向が制御されることにより、前記複数本の光ファイバのうちの前記複数出力に対応するいずれか１つへ択一的に入力させる複数の反射素子を有する液晶素子LCOS（Liquid Crystal on Silicon）とを、含むものである。このように構成された光クロスコネクト部によれば、光入力ファイバ毎に設けられて波長分割多重光をそれぞれ波長毎に分波する分波器、その分波器で分波された光パスを波長毎に方路切換を行なう波長数個の１×ｎ光スイッチ、光出力ファイバ毎に設けられてその１×ｎ光スイッチで方路切換された波長を受けて合波し光出力ファイバへ出力する１×ｎ合波器から構成された光クロスコネクト部に比較して、素子数が少なく、相対的に規模が小さくなるだけでなく、上記仮分波器または光合波器として光カプラが用いられることがなくなるので、光損失が大幅に低減される。
【００１２】
また、好適には、前記複数個の光クロスコネクト部は、そのいずれにおいても、所定の光クロスコネクト部の内部接続用出力ポートが他の光クロスコネクト部の内部接続用入力ポートと直接に接続され、且つ、該他の光クロスコネクト部の内部接続用出力ポートが前記所定の光クロスコネクト部の内部接続用入力ポートと直接に接続されている。これにより、光クロスコネクト装置は、いずれか２個の光クロスコネクト部(サブシステム)が接続された構成となっており、即ち他のサブシステムと接続されていない孤立したサブシステムは存在しないため、光クロスコネクト部の相互間で迂回させてルーティングできるので、同一入出力ファイバ数での従来の光クロスコネクト装置と比較して、同程度のパス収容能力を有しつつ、光クロスコネクト部或いは波長選択スイッチなどのハードウエアの規模を大幅に削減できる。
【００１３】
また、好適には、前記複数個の光クロスコネクト部は、そのいずれにおいても、所定の光クロスコネクト部の内部接続用出力ポートが他の光クロスコネクト部の内部接続用入力ポートと直接に接続され、且つ、該他の光クロスコネクト部を介して、さらに他の光クロスコネクト部の内部接続用入力ポートと間接的に接続され、前記内部接続用入力ポートと前記内部接続用出力ポートとの間を接続する内部接続用光ファイバを介して環状に連ねた状態で接続されている。これにより、光クロスコネクト装置は、３個以上の光クロスコネクト部(サブシステム)から構成されており、光クロスコネクト部の相互間で迂回させてルーティングできるので、同一入出力ファイバ数での従来の光クロスコネクト装置と比較して、同程度のパス収容能力を有しつつ、光クロスコネクト部或いは波長選択スイッチなどのハードウエアの規模を大幅に削減できる。
【００１４】
また、好適には、前記複数個の光クロスコネクト部は、そのいずれにおいても、所定の光クロスコネクト部の内部接続用出力ポートが他の光クロスコネクト部の内部接続用入力ポートと直接に接続され、且つ、該他の光クロスコネクト部の内部接続用出力ポートが前記所定の光クロスコネクト部の内部接続用入力ポートと直接に接続され、前記所定の光クロスコネクト部および／または他の光クロスコネクト部の少なくとも1つは、増設用の内部接続用入力ポートおよび内部接続用出力ポートを備えている。これにより、光クロスコネクト装置は、２個の光クロスコネクト部(サブシステム) が接続された構成となっており、即ち他のサブシステムと接続されていない孤立したサブシステムは存在しないため、光クロスコネクト部の相互間で迂回させてルーティングできるので、同一入出力ファイバ数での従来の光クロスコネクト装置と比較して、同程度のパス収容能力を有しつつ、光クロスコネクト部或いは波長選択スイッチなどのハードウエアの規模を大幅に削減できる。同時に、増設光クロスコネクト部の内部接続用出力ポートおよび内部接続用入力ポートをそれら、新たな増設用の内部接続用入力ポートおよび内部接続用出力ポートにそれぞれ接続することにより、光ノードに接続される光ファイバの増加に応じて、新たな光クロスコネクト部を安価に且つ容易に増設できる。
【００１５】
また、好適には、前記複数個の光クロスコネクト部のうちの所定の光クロスコネクト部の内部接続用出力ポートが他の光クロスコネクト部の内部接続用入力ポートと直接に接続され、且つさらに他の光クロスコネクト部の内部接続用入力ポートと該他の光クロスコネクト部を介して間接的に接続され、前記複数個の光クロスコネクト部のうちの少なくとも１つの光クロスコネクト部は、他の光クロスコネクト部に接続されていない増設用の内部接続用入力ポートおよび内部接続用出力ポートを備え、前記内部接続用入力ポートと前記内部接続用出力ポートとの間を接続する内部接続用光ファイバを介して連鎖状に連なって接続されている。これにより、前記光クロスコネクト装置は、３個以上の光クロスコネクト部(サブシステム)から構成されており、光クロスコネクト部の相互間で迂回させてルーティングできるので、同一入出力ファイバ数での従来の光クロスコネクト装置と比較して、同程度のパス収容能力を有しつつ、光クロスコネクト部或いは波長選択スイッチなどのハードウエアの規模を大幅に削減できる。同時に、増設光クロスコネクト部の内部接続用出力ポートおよび内部接続用入力ポートをそれら増設用の内部接続用入力ポートおよび内部接続用出力ポートにそれぞれ接続することにより、光ノードに接続される光ファイバの増加に応じて、新たな光クロスコネクト部を安価に且つ容易に増設できる。
【００１６】
また、好適には、前記光クロスコネクト装置に配置された前記複数個の光クロスコネクト部の個数は、該光クロスコネクト装置が配置された光ノードに隣接する他のノードの個数と一致させることもできる。
【００１７】
また、好適には、前記波長分割多重光は、信号のビットレートが相互に異なる波長チャンネルを含んで構成されるか、或いは、波長間隔が相違する波長の波長チャンネルを含んで構成される。このようにすれば、光クロスコネクト装置の汎用性が高められる。
【図面の簡単な説明】
【００１８】
【図１】本発明の一実施例の光クロスコネクト装置が用いられる光ノード間を光ファイバ接続した光ネットワークの一例を説明するための概念図である。
【図２】図１の光ネットワークにおいて光ノードに対応する光クロスコネクト装置が環状接続された複数個の光クロスコネクト部から成る構成例の要部を説明する図である。
【図３】図２の光クロスコネクト装置を構成する光クロスコネクト部が単一のＭ×Ｎ波長選択スイッチから構成されることを示す概略図である。
【図４】図３の光クロスコネクト装置に用いられている波長群選択スイッチの構成例を説明する図である。
【図５】図３の光クロスコネクト装置に用いられている波長群選択スイッチの他の構成例を説明する図である。
【図６】図２の光クロスコネクト装置が３個の複数の光クロスコネクト部から構成された例を説明する図である。
【図７】図２の光クロスコネクト装置が２個の複数の光クロスコネクト部から構成された例を説明する図である。
【図８】図１の光ネットワークにおいて光ノードに対応する光クロスコネクト装置が、所定の光クロスコネクト部が他の光クロスコネクト部に接続されていない増設用の内部接続用入力ポートおよび内部接続用出力ポートを備える、複数個の光クロスコネクト部が直列的に接続された構成例の要部を説明する図である。
【図９】図８の光クロスコネクト装置が２つの光クロスコネクト部から成る構成例の要部を説明する図である。
【図１０】図８の光クロスコネクト装置が３つの光クロスコネクト部から成る構成例を説明する図である。
【図１１】図２の実施例の光クロスコネクト装置に増設用光クロスコネクト部を接続した状態を説明する図である。
【図１２】図１０の実施例の光クロスコネクト装置に増設用光クロスコネクト部を接続した状態を説明する図である。
【発明を実施するための形態】
【００１９】
以下に、本発明の一実施例を図面に基づいて詳細に説明する。
【実施例１】
【００２０】
図１は、複数個の光ノードＮＤ０〜ＮＤｄと、それらの間を接続する光ファイバとからなる光ネットワークＮＷの一部を例示している。ｄは、光ノードＮＤ０に隣接する光ノードの個数を示す正の整数であり、本実施例では４である。なお、隣接ノード間のファイバ数は一定で有る必要は無い。光ノードＮＤ０〜ＮＤ４は同様に構成されているので、光ノードＮＤ０に代表させて以下に説明する。
【００２１】
図２に示すように、光ノードＮＤ０内に配置された光クロスコネクト装置ＯＸＣは、その光ノードＮＤ０に隣接する他の光ノードＮＤ０〜ＮＤ４から接続される光入力ファイバ数或は他の光ノードへ接続する光ファイバ数を収容するのに必要な個数のたとえば４個の光クロスコネクト部（サブシステム部）ＯＸＣ１〜ＯＸＣ４を備えている。図２には、光クロスコネクト装置ＯＸＣの入出力接続と、光クロスコネクト装置ＯＸＣ内の光クロスコネクト部ＯＸＣ１〜ＯＸＣ４間の内部接続とが示されている。
【００２２】
光クロスコネクト装置ＯＸＣの入力側には、光ノードＮＤ０に隣接する各光ノードＮＤ１〜光ノードＮＤｄからの合計Ｍ本の光入力ファイバＦi1〜Ｆim、Ｆim+1〜Ｆi2m、Ｆi2m+1〜Ｆi3m、Ｆi3m+1〜Ｆi4mが接続されている。また、光クロスコネクト装置ＯＸＣの出力側には、光ノードＮＤ０に隣接する各光ノードＮＤ１〜光ノードＮＤｄへの合計Ｎ本の光出力ファイバＦo1〜Ｆon、Ｆon+1〜Ｆo2n、Ｆo2n+1〜Ｆo3n、Ｆo3n+1〜Ｆo4nが、接続されている。光入力ファイバＦi1〜Ｆim、Ｆim+1〜Ｆi2m、Ｆi2m+1〜Ｆi3m、Ｆi3m+1〜Ｆi4mからは、各々波長分割多重光が伝送されて、光クロスコネクト装置ＯＸＣに入力される。上記光入力ファイバＦi1〜Ｆi4mは合計でＭ本であり、光出力ファイバＦo1〜Ｆo4n は合計でＮ本であり、それら光入力ファイバＦi1〜Ｆi4mおよび光出力ファイバＦo1〜Ｆo4nは、ノード間接続用光ファイバとして機能している。なお、一般にはＮ＝Ｍの場合が多い。
【００２３】
上記光クロスコネクト装置ＯＸＣは、上記波長分割多重光に含まれる波長群毎或いは波長毎に方路切換(ルーティング)して、光出力ファイバＦo1〜Ｆon、Ｆon+1〜Ｆo2n、Ｆo2n+1〜Ｆo3n、Ｆo3n+1〜Ｆo4nのうちの１つへ出力する。
【００２４】
本実施例では、所定の通信波長帯のたとえば１００ＧＨｚ毎に配置された複数の波長チャネル(wave channel or light path)にそれぞれ対応する複数波長光が合波されることにより１つの波長分割多重（ＷＤＭ：Wavelength Division Multiplexing）光が構成され、その波長分割多重光が１本の光ファイバ毎に並列的に伝送される。この波長分割多重光は、信号のビットレートが相互に異なる波長チャンネルを含んで構成されるか、或いは、波長間隔が相違する波長の波長チャンネルを含んで構成されてもよい。
【００２５】
光クロスコネクト装置ＯＸＣを構成する内の光クロスコネクト部ＯＸＣ１〜ＯＸＣｘに関して、図１ではｘ＝４であり、光クロスコネクト装置ＯＸＣが光ノードＮＤ０に隣接する光ノードＮＤ１〜ＮＤ４の個数と同じ個数である４個の光クロスコネクト部ＯＸＣ１〜ＯＸＣ４から構成されている。なお、光クロスコネクト部の個数は、隣接する光ノードの個数と一致している必要は無く、隣接するノードの個数とは独立に設定することができる。それら光クロスコネクト部ＯＸＣ１〜ＯＸＣ４は、外部接続用として、光入力ファイバＦi1〜Ｆim、Ｆim+1〜Ｆi2m、Ｆi2m+1〜Ｆi3m、Ｆi3m+1〜Ｆi4mにそれぞれ接続されたノード間接続用入力ポートＰi1〜Ｐim、Ｐim+1〜Ｐi2m、Ｐi2m+1〜Ｐi3m、Ｐi3m+1〜Ｐi4mと、光出力ファイバＦo1〜Ｆon、Ｆon+1〜Ｆo2n、Ｆo2n+1〜Ｆo3n、Ｆo3n+1〜Ｆo4nにそれぞれ接続されたノード間接続用出力ポートＰo1〜Ｐon、Ｐon+1〜Ｐo2n、Ｐo2n+1〜Ｐo3n、Ｐo3n+1〜Ｐo4nとをそれぞれ有している。また、光クロスコネクト部ＯＸＣ１〜ＯＸＣ４は、内部接続用として、内部接続用入力ポートＰni1〜Ｐni2、Ｐni3〜Ｐni4、Ｐni5〜Ｐni6、Ｐni7〜Ｐni8と、内部接続用出力ポートＰno1〜Ｐno2、Ｐno3〜Ｐno4、Ｐno5〜Ｐno6、Ｐno7〜Ｐno8とをそれぞれ有している。なお、光クロスコネクト部ＯＸＣ１のノード間接続用入力ポートＰi1〜Ｐimには、光ノードＮＤ１からの光入力ファイバＦi1〜Ｆimが接続されていてもよいが、光ノードＮＤ１〜ＮＤ４からの合計Ｍ本のうちのいずれかｍ本が接続されていればよい。同様に、光クロスコネクト部ＯＸＣ１のノード間接続用出力ポートＰo1〜Ｐonには、光ノードＮＤ１への光出力ファイバＦo1〜Ｆonが接続されていてもよいが、光ノードＮＤ１〜ＮＤ４からの合計Ｎ本のうちのいずれかｎ本が接続されていればよい。
【００２６】
そして、光クロスコネクト装置ＯＸＣ内では、４個の光クロスコネクト部ＯＸＣ１〜ＯＸＣ４のいずれにおいても、所定の光クロスコネクト部の内部接続用出力ポートが他の光クロスコネクト部の内部接続用入力ポートと直接に接続され、又は、所定の光クロスコネクト部の内部接続用出力ポートが他の光クロスコネクト部の内部接続用入力ポートと直接に接続され、且つ、さらに他の光クロスコネクト部の内部接続用入力ポートと該他の光クロスコネクト部を介して間接的に接続されている。たとえば、光クロスコネクト部ＯＸＣ１では、光クロスコネクト部ＯＸＣ１の内部接続用入力ポートＰni1およびＰni2は、他の光クロスコネクト部ＯＸＣ４の内部接続用出力ポートＰno8および光クロスコネクト部ＯＸＣ２の内部接続用出力ポートＰno3と内部接続用光ファイバＦn8およびＦn3を介して直接に接続され、且つ、さらに他の光クロスコネクト部ＯＸＣ３の内部接続用入力ポートＰni5およびＰni6とその他の光クロスコネクト部ＯＸＣ２および内部接続用光ファイバＦn4を介して、および光クロスコネクト部ＯＸＣ４および内部接続用光ファイバＦn7を介して間接的に接続されている。
【００２７】
本実施例では、上記の接続方法により、光クロスコネクト装置ＯＸＣが３個以上の光クロスコネクト部を備える場合には、それらが環状となるように相互接続される。図２に示すように、本実施例の４個の光クロスコネクト部ＯＸＣ１〜ＯＸＣ４間は環状に相互接続されている。その環状に相互接続された４個の光クロスコネクト部ＯＸＣ１〜ＯＸＣ４のうち互いに隣接するいずれの１対においても、一方の光クロスコネクト部の内部接続用出力ポートが他方の光クロスコネクト部の内部接続用入力ポートに接続され、且つ、他方の光クロスコネクト部の内部接続用出力ポートが一方の光クロスコネクト部の内部接続用入力ポートに接続されている。たとえば、一対の光クロスコネクト部ＯＸＣ１および光クロスコネクト部ＯＸＣ２では、一方の光クロスコネクト部ＯＸＣ１の内部接続用出力ポートＰno2が他方の光クロスコネクト部ＯＸＣ２の内部接続用入力ポートＰni3に内部接続用光ファイバＦn2を介して接続され、且つ、他方の光クロスコネクト部ＯＸＣ２の内部接続用出力ポートＰno3が一方の光クロスコネクト部ＯＸＣ１の内部接続用入力ポートＰni2に内部接続用光ファイバＦn3を介して接続されている。また、一対の光クロスコネクト部ＯＸＣ２および光クロスコネクト部ＯＸＣ３では、一方の光クロスコネクト部ＯＸＣ２の内部接続用出力ポートＰno4が他方の光クロスコネクト部ＯＸＣ３の内部接続用入力ポートＰni5に内部接続用光ファイバＦn4を介して接続され、且つ、他方の光クロスコネクト部ＯＸＣ３の内部接続用出力ポートＰno5が一方の光クロスコネクト部ＯＸＣ２の内部接続用入力ポートＰni4に内部接続用光ファイバＦn5を介して接続されている。また、一対の光クロスコネクト部ＯＸＣ３および光クロスコネクト部ＯＸＣ４では、一方の光クロスコネクト部ＯＸＣ３の内部接続用出力ポートＰno6が他方の光クロスコネクト部ＯＸＣ４の内部接続用入力ポートＰni7に内部接続用光ファイバＦn6を介して接続され、且つ、他方の光クロスコネクト部ＯＸＣ４の内部接続用出力ポートＰno7が一方の光クロスコネクト部ＯＸＣ３の内部接続用入力ポートＰni6に内部接続用光ファイバＦn7を介して接続されている。また、一対の光クロスコネクト部ＯＸＣ４および光クロスコネクト部ＯＸＣ１では、一方の光クロスコネクト部ＯＸＣ４の内部接続用出力ポートＰno8が他方の光クロスコネクト部ＯＸＣ１の内部接続用入力ポートＰni1に内部接続用光ファイバＦn8を介して接続され、且つ、他方の光クロスコネクト部ＯＸＣ１の内部接続用出力ポートＰno1が一方の光クロスコネクト部ＯＸＣ４の内部接続用入力ポートＰni8に内部接続用光ファイバＦn1を介して接続されている。
【００２８】
このように、内部接続用光ファイバＦn1〜Ｆn8により相互接続された光クロスコネクト部ＯＸＣ１〜光クロスコネクト部ＯＸＣ４を有する光クロスコネクト装置ＯＸＣでは、光クロスコネクト部ＯＸＣ１〜光クロスコネクト部ＯＸＣ４のうち所定の光クロスコネクト部から出力された波長は他のいずれの光クロスコネクト部にも入力され得るようになっているので、光入力ファイバＦi1〜Ｆim、Ｆim+1〜Ｆi2m、Ｆi2m+1〜Ｆi3m、Ｆi3m+1〜Ｆi4mのうちのいずれかから、光出力ファイバＦo1〜Ｆon、Ｆon+1〜Ｆo2n、Ｆo2n+1〜Ｆo3n、Ｆo3n+1〜Ｆo4nいずれへも方路切換が可能となっている。たとえば、光入力ファイバＦi1を介して光クロスコネクト部ＯＸＣ１へ入力された波長分割多重光に含まれる所定の波長をたとえばノード間接続用光出力ファイバＦo3nへ方路切換する場合は、先ず、光クロスコネクト部ＯＸＣ１においてその所定波長が選択されてその内部接続用出力ポートPno2から光クロスコネクト部ＯＸＣ２の内部接続用入力ポートＰni3へ出力される。次いで、光クロスコネクト部ＯＸＣ２においてもその所定波長が選択されてその内部接続用出力ポートPno4から光クロスコネクト部ＯＸＣ３の内部接続用入力ポートＰni5へ出力される。そして、光クロスコネクト部ＯＸＣ３においてその所定波長が選択されてそのノード間接続用出力ポートＰo3nから光出力ファイバＦo3nへ出力される。或は、ＯＸＣ１からＯＸＣ４を経由して、ＯＸＣ３のノード間接続用出力ポートＰo3nから光出力ファイバＦo3nへ出力することも可能である。このように、光入力ファイバおよび光出力ファイバの本数に比較して入力端子数が少ない小規模の複数の光クロスコネクト部ＯＸＣ１〜ＯＸＣ４を用いる場合、光クロスコネクト部ＯＸＣ１〜ＯＸＣ４のいずれかから出力された所定波長を他の光クロスコネクト部へ入力することでその所定波長を迂回させて、各光クロスコネクト部内で繰り返しルーティングすることで、所定波長を方路切換することができる。
【００２９】
なお、図２に示す光クロスコネクト装置ＯＸＣでは、通常、電気レイヤのルータから所定波長で送信されるアド信号を４ｎ本の光出力ファイバＦo1〜Ｆo4nのうち、そのアド信号が指向する所望の光出力ファイバ内の波長分割多重光へ送出するためのアド用波長選択スイッチＷＳＳと、４ｍ本の光入力ファイバＦin1〜Ｆi4mからの波長分割多重光に含まれる所定波長のドロップ信号を電気レイヤの所望のルータへドロップさせるためのドロップ用波長選択スイッチＷＳＳとが、必要に応じて設けられる。
【００３０】
上記４個の光クロスコネクト部ＯＸＣ１〜ＯＸＣ４は互いに同様に構成されているので、光クロスコネクト部ＯＸＣ１を代表させて、図３にその構成を説明する。図３において、光クロスコネクト部ＯＸＣ１は、単一の(ｍ＋２)×(ｎ＋２)波長選択スイッチＷＳＳから構成されている。この波長選択スイッチＷＳＳは、たとえば図４に示す三次元ＭＥＭＳ（Micro electro Mechanical Systems）光スイッチ、又は図５に示すＬＣＯＳ(Liquid Crystal on Silicon)スイッチなどから構成される。
【００３１】
図４の波長選択スイッチＷＳＳは、たとえば、端面が相互に直列させられた４本の光入力ファイバＦin1〜Ｆin4および光出力ファイバＦout1〜Ｆout4と、４本の光出力ファイバＦout1〜Ｆout4を有する４×４の規模の三次元ＭＥＭＳ光スイッチを用いてその原理が説明されている。この三次元ＭＥＭＳ光スイッチは、光入力ファイバＦin1〜Ｆin4のいずれか1つから入力された波長分割多重光を波長単位で分光する分光素子である反射型回折格子Ｇと、図示しないアクチュエータにより姿勢制御される波長数k個(図4では各４個)のマイクロミラーＭＭをそれぞれ有するファイバ数個(図４では４組)のマイクロミラーアレイＭＭＡ１〜ＭＭＡ４を備える３次元ＭＥＭＳミラー３ＤＭと、それらの間に配置されて分光された波長を１つのマイクロミラーＭＭ上に集光させる集光レンズＬとを含み、光入力ファイバＦin1〜Ｆin4のいずれか1つから入力された波長分割多重光或いは波長群が分光用グレーティングＧで波長単位或は波長群単位に分光された後に集光レンズＬにより波長毎に所定のマイクロミラーＭＭ上に集光され、マイクロミラーＭＭからの反射光が光出力ファイバＦout1〜Ｆout4のうちの所望のファイバに入射するようにマイクロミラーＭＭが駆動されることで、波長選択スイッチ機能が得られるようになっている。上記マイクロミラーアレイＭＭＡ１〜ＭＭＡ４は、よく知られた３次元ＭＥＭＳ技術によって１つのシリコン基板やガラス基板上に形成されており、たとえば静電気、電歪力或いは電磁力を利用したアクチュエータによりその振幅が制御されるようになっている。
【００３２】
図５の波長選択スイッチＷＳＳは、たとえば４本の光入力ファイバＦin1〜Ｆin4および4本の光出力ファイバＦout1〜Ｆout4を有する４×４の規模のＬＣＯＳ光スイッチを用いてその原理が説明されている。このＬＣＯＳ光スイッチは、光入力ファイバＦin1〜Ｆin4のいずれか1つから偏光素子Ｐ、集光レンズＬ１およびミラーＭを経て入力された波長分割多重光を波長単位で分光する分光素子である反射型回折格子Ｇと、平行配向されたネマティッック液晶層を有する多数の画素が配列され、制御信号に従って入力光を変調することによりその位相変調を行なうとともに、波長数kの縦列反射画素群をｘ方向に有するファイバ数個(図５では４個)の画素領域Ａ１〜Ａ４をｙ方向に有する集積化液晶板(反射素子)ＬＣＯＳとを含み、光入力ファイバＦin1〜Ｆin4のいずれか1つから入力された波長分割多重光或いは波長群が分光用グレーティングＧで波長単位或は波長群単位に分光された後に補償板Ｃを経て集光レンズＬ２により波長毎に所定の画素群上に集光され、集積化液晶素子ＬＣＯＳからの反射光が光出力ファイバＦout1〜Ｆout4のうちの所望の光ファイバに入射するように集積化液晶素子ＬＣＯＳの画素により位相変調が行なわれることで、波長選択スイッチ機能が得られるようになっている。上記の集積化液晶素子ＬＣＯＳは、たとえは、液晶駆動回路および画素電極を有するシリコン基板と対向する透明基板との間に液晶を閉じ込めた構造を有する高精度細反射型液晶パネルから構成される。
【００３３】
上述のように、本実施例の光クロスコネクト装置ＯＸＣによれば、複数本の光入力ファイバ(ノード間接続用光ファイバ) Ｆi1〜Ｆi4mおよび光出力ファイバ(ノード間接続用光ファイバ) Ｆo1〜Ｆo4nにそれぞれ接続された、ノード間接続用入力ポートＰi1〜Ｐim、Ｐim+1〜Ｐi2m、Ｐi2m+1〜Ｐi3m、Ｐi3m+1〜Ｐi4mおよびノード間接続用出力ポートＰo1〜Ｐon、Ｐon+1〜Ｐo2n、Ｐo2n+1〜Ｐo3n、Ｐo3n+1〜Ｐo4nと、内部接続用入力ポートＰni1〜Ｐni2、Ｐni3〜Ｐni4、Ｐni5〜Ｐni6、Ｐni7〜Ｐni8および内部接続用出力ポートＰno1〜Ｐno2、Ｐno3〜Ｐno4、Ｐno5〜Ｐno6、Ｐno7〜Ｐno8とをそれぞれ有する複数個の光クロスコネクト部ＯＸＣ１〜ＯＸＣ４を備え、それら複数個の光クロスコネクト部ＯＸＣ１〜ＯＸＣ４のいずれにおいても、所定の光クロスコネクト部の内部接続用出力ポートが他の光クロスコネクト部の内部接続用入力ポートと直接に接続され、且つ、該他の光クロスコネクト部を介して、さらに他の光クロスコネクト部の内部接続用入力ポートと間接的に接続されている。このことから、複数の光クロスコネクト部ＯＸＣ１〜ＯＸＣ４の相互間で迂回させてルーティングできるので、同一入出力ファイバ数での相互接続された複数の光クロスコネクト部を有しない従来の光クロスコネクト装置と比較して、同程度のパス収容能力を有しつつ、光クロスコネクト部或いはそれ波長選択スイッチＷＳＳなどのハードウエアの規模を大幅に削減できる。
【００３４】
また、本実施例によれば、複数個の光クロスコネクト部ＯＸＣ１〜ＯＸＣ４は、ノード間接続用入力ポートおよび前記内部接続用入力ポートの数に対応する複数入力（ｍ＋２）と、ノード間接続用出力ポートおよび前記内部接続用出力ポートの数に対応する複数出力（ｎ＋２）とを有する単一の（ｍ＋２）×（ｎ＋２）波長選択スイッチＷＳＳからそれぞれ構成されているので、光クロスコネクト部ＯＸＣ１〜ＯＸＣ４が大幅に小型となるとともに、光カプラが不要となるので、光損失も大幅に減少させられる。
【００３５】
また、本実施例によれば、単一の波長選択スイッチＷＳＳは、複数入力および前記複数出力に対応する本数の、端面が直列となるように配置された複数本の光ファイバＦin1〜Ｆin4およびＦout1〜Ｆout4を有するファイバアレイと、複数本の光ファイバＦin1〜Ｆin4およびＦout1〜Ｆout4のうちの複数入力に対応する光ファイバＦin1〜Ｆin4のいずれか１つから入力された波長分割多重光を受けて波長毎に分光する反射型回折格子G(分光素子)と、その分光素子により分光された波長を受けてその波長の反射方向が制御されることにより、複数本の光ファイバＦin1〜Ｆin4およびＦout1〜Ｆout4のうちの複数出力に対応する光ファイバＦout1〜Ｆout4のいずれか１つへ択一的に入力させる複数のマイクロミラーアレイＭＭＡ１〜ＭＭＡ４を有する３次元ＭＥＭＳ(Micro Electro Mechanical Systems)ミラー３ＤＭとを、含むものである。このため、光入力ファイバ毎に設けられて波長分割多重光をそれぞれ波長毎に分波する分波器、その分波器で分波された光パスを波長毎に方路切換を行なう波長数個の１×ｎ光スイッチ、光出力ファイバ毎に設けられてその１×ｎ光スイッチで方路切換された波長を受けて合波し光出力ファイバへ出力する１×ｎ合波器から構成された光クロスコネクト部に比較して、素子数が少なく、相対的に規模が小さくなるだけでなく、上記仮分波器または光合波器として光カプラが用いられることがなくなるので、光損失が大幅に低減される。
【００３６】
また、本実施例によれば、単一の波長選択スイッチＷＳＳは、複数入力および前記複数出力に対応する本数の、端面が直列となるように配置された複数本の光ファイバＦin1〜Ｆin4およびＦout1〜Ｆout4を有するファイバアレイと、複数本の光ファイバＦin1〜Ｆin4およびＦout1〜Ｆout4のうちの複数入力に対応する光ファイバＦin1〜Ｆin4のいずれか１つから入力された波長分割多重光を受けて波長毎に分光する反射型回折格子G(分光素子)と、その分光素子により分光された波長を受けて該波長の反射(回折)方向が制御されることにより、複数出力に対応する光ファイバＦout1〜Ｆout4のいずれか１つへ択一的に入力させる複数の反射画素を有する集積化液晶素子ＬＣＯＳ（Liquid Crystal on Silicon）とを、含むものである。このため、光入力ファイバ毎に設けられて波長分割多重光をそれぞれ波長毎に分波する分波器、その分波器で分波された光パスを波長毎に方路切換を行なう波長数個の１×ｎ光スイッチ、光出力ファイバ毎に設けられてその１×ｎ光スイッチで方路切換された波長を受けて合波し光出力ファイバへ出力する１×ｎ合波器から構成された光クロスコネクト部に比較して、素子数が少なく、相対的に規模が小さくなるだけでなく、上記仮分波器または光合波器として光カプラが用いられることがなくなるので、光損失が大幅に低減される。
【実施例２】
【００３７】
図２の光クロスコネクト装置ＯＸＣは、４個の光クロスコネクト部ＯＸＣ１〜ＯＸＣ４から構成されていたが、図６に示すように、光クロスコネクト装置ＯＸＣは、図２の実施例と同様の入出力ポートを備えて同様に外部接続および相互接続された３個の光クロスコネクト部ＯＸＣ１〜ＯＸＣ３から構成されることができる。
【実施例３】
【００３８】
また、図２の光クロスコネクト装置ＯＸＣは、４個の光クロスコネクト部ＯＸＣ１〜ＯＸＣ４から構成されていたが、図７に示すように、光クロスコネクト装置ＯＸＣは、図２の実施例と同様の入出力ポートを備えて同様に外部接続および相互接続された２個の光クロスコネクト部ＯＸＣ１〜ＯＸＣ２から構成されることができる。この場合、一方(所定)の光クロスコネクト部ＯＸＣ１の内部接続用出力ポートＰno2が他方の光クロスコネクト部ＯＸＣ２の内部接続用入力ポートＰni3と直接に接続され、且つ、その他方の光クロスコネクト部ＯＸＣ２の内部接続用出力ポートＰno3が所定の光クロスコネクト部ＯＸＣ１の内部接続用入力ポートＰni2と直接に接続されている。
【実施例４】
【００３９】
図８は、本発明の他の実施例の光クロスコネクト装置ＯＸＣを示している。本実施例では、光クロスコネクト装置ＯＸＣを構成するサブシステムである光クロスコネクト部ＯＸＣ１〜ＯＸＣ４のうち、光クロスコネクト部ＯＸＣ１と光クロスコネクト部ＯＸＣ４との間を内部接続する内部接続用光ファイバＦn1およびＦn8が設けられておらず、内部接続用出力ポートＰno1と内部接続用入力ポートＰni8との間、および、内部接続用出力ポートＰno8と内部接続用入力ポートＰni1との間が解放されており、それら内部接続用入力ポートＰni1と内部接続用出力ポートＰno8、および 内部接続用出力ポートＰno1と内部接続用入力ポートＰni8とは、増設用の内部接続用入力ポートおよび増設用内部接続用出力ポートとして機能している。その他の構成は、図２の光クロスコネクト装置ＯＸＣと同様である。この結果、図８の光クロスコネクト装置ＯＸＣを構成するサブシステムである光クロスコネクト部ＯＸＣ１〜ＯＸＣ４は、内部的に直列接続されている。
【００４０】
図８の光クロスコネクト装置ＯＸＣによれば、３個以上の光クロスコネクト部ＯＸＣ１〜ＯＸＣ４から構成され、それら３個以上の光クロスコネクト部ＯＸＣ１〜ＯＸＣ４のいずれにおいても、所定の光クロスコネクト部の内部接続用出力ポートが他の光クロスコネクト部の内部接続用入力ポートと直接に接続されて、内部接続用光ファイバを介して直列状に連なって接続されている。このため、所定の光クロスコネクト部の内部接続用出力ポートから出力された波長を、その直列状に接続された光クロスコネクト部のうちの互いに隣接する一対の光クロスコネクト部へ双方向に伝送することができる。このため、図８の光クロスコネクト装置ＯＸＣによれば、図２の光クロスコネクト装置ＯＸＣと同様に、複数の光クロスコネクト部ＯＸＣ１〜ＯＸＣ４の相互間でルーティングできるので、同一入出力ファイバ数での相互接続された複数の光クロスコネクト部を有しない従来の光クロスコネクト装置と比較して、同程度のパス収容能力を有しつつ、光クロスコネクト部或いはそれ波長選択スイッチＷＳＳなどのハードウエアの規模を大幅に削減できる。
【００４１】
また、本実施例図８の光クロスコネクト装置ＯＸＣによれば、図２の光クロスコネクト装置ＯＸＣと同様に、複数個の光クロスコネクト部ＯＸＣ１〜ＯＸＣ４は、ノード間接続用入力ポートおよび前記内部接続用入力ポートの数に対応する複数入力（ｍ＋２）と、ノード間接続用出力ポートおよび前記内部接続用出力ポートの数に対応する複数出力（ｎ＋２）とを有する単一の（ｍ＋２）×（ｎ＋２）波長選択スイッチＷＳＳからそれぞれ構成されているので、光クロスコネクト部ＯＸＣ１〜ＯＸＣ４が大幅に小型となるとともに、光カプラが不要となるので、光損失も大幅に減少させられる。
【００４２】
さらに、本実施例図８の光クロスコネクト装置ＯＸＣによれば、その光クロスコネクト装置ＯＸＣに備えられる複数個の光クロスコネクト部ＯＸＣ１乃至ＯＸＣ４に接続されていない増設用の内部接続用入力ポートＰni11および内部接続用出力ポートＰno11を備える増設用光クロスコネクト部(サブシステム)ＯＸＣＡが容易に接続され得る。このため、増設光クロスコネクト部ＯＸＣＡの増設用の内部接続用入力ポートＰni11および内部接続用出力ポートＰno11に、既存の光クロスコネクト部、例えばＯＸＣ４の内部接続用出力ポートＰno8および内部接続用入力ポートＰni8を接続することにより、光ノードＮＤ０に接続される光ファイバのさらなる増加に応じて、新たな光クロスコネクト部を安価に且つ容易に順次増設できる。
【実施例５】
【００４３】
図８の光クロスコネクト装置ＯＸＣは、４個の光クロスコネクト部ＯＸＣ１〜ＯＸＣ４から構成されていたが、図９に示すように、光クロスコネクト装置ＯＸＣは、図８の実施例と同様の入出力ポートを備えて同様に外部接続および相互接続された２個の光クロスコネクト部ＯＸＣ１〜ＯＸＣ２から構成されることができるし、図１０に示すように、光クロスコネクト装置ＯＸＣは、図８の実施例と同様の入出力ポートを備えて同様に外部接続および相互接続された２個の光クロスコネクト部ＯＸＣ１〜ＯＸＣ３から構成されることができる。図９に示す光クロスコネクト部ＯＸＣ１には、他の光クロスコネクト部ＯＸＣ２に接続されていない増設用の内部接続用入力ポートＰni1および内部接続用出力ポートＰno1が設けられており、光クロスコネクト部ＯＸＣ２にも、他の光クロスコネクト部ＯＸＣ１に接続されていない増設用の内部接続用入力ポートＰnoi4および内部接続用出力ポートＰno4が設けられている。また、図１０に示す光クロスコネクト部ＯＸＣ１には、他の光クロスコネクト部ＯＸＣ２〜３のいずれにも接続されていない増設用の内部接続用入力ポートＰni1および内部接続用出力ポートＰno1が設けられており、光クロスコネクト部ＯＸＣ３には、他の光クロスコネクト部ＯＸＣ１〜２のいずれにも接続されていない増設用の内部接続用入力ポートＰni6および内部接続用出力ポートＰno6が設けられている。図９および図１０に示す光クロスコネクト装置ＯＸＣにおいても、前述の図２に示す光クロスコネクト装置ＯＸＣと同様の効果が得られる。
【実施例６】
【００４４】
図１１は、図８、図１０の光クロスコネクト装置ＯＸＣを構成する複数の光クロスコネクト部ＯＸＣ１乃至ＯＸＣ４のうちの光クロスコネクト部ＯＸＣ１の増設用の内部接続用入力ポートＰni9および内部接続用出力ポートＰno９に、増設用光クロスコネクト部(増設用サブシステム)ＯＸＣＡが接続されている状態を示している。この増設用光クロスコネクト部ＯＸＣＡは、図８に示す光クロスコネクト部ＯＸＣ１乃至４と同様に、(ｍ＋２)× (ｎ＋２)波長選択スイッチＷＳＳとを備える点で、略同様の基本構成を有している。しかし、増設用光クロスコネクト部ＯＸＣＡは、光クロスコネクト部ＯＸＣ１の増設用の内部接続用入力ポートＰni9および内部接続用出力ポートＰno９にそれぞれ接続される内部接続用入力ポートＰni10および内部接続用出力ポートＰno10を備える他に、光クロスコネクト装置ＯＸＣに備えられる複数個の光クロスコネクト部ＯＸＣ１乃至４のいずれにも接続されない２段増設用の内部接続用入力ポートＰni11および内部接続用出力ポートＰno11をさらに備えている。
【実施例７】
【００４５】
図１２は、図１０の光クロスコネクト装置ＯＸＣを構成する複数の光クロスコネクト部ＯＸＣ１乃至ＯＸＣ３のうちの光クロスコネクト部ＯＸＣ３の増設用の内部接続用入力ポートＰni6および内部接続用出力ポートＰno6に、増設用光クロスコネクト部(増設用サブシステム)ＯＸＣＡが接続されている状態を示している。
【００４６】
以上、本発明の一実施例を図面に基づいて説明したが、本発明はその他の態様においても適用される。
【００４７】
たとえば、前述の実施例１(図２)および実施例５(図８)の光クロスコネクト部ＯＸＣ１〜ＯＸＣ４は、図２、図８に示すように双方向に相互接続されていたが、一方向に相互接続されていてもよい。たとえば、内部接続用光ファイバＦn1〜Ｆn8のうち、内部接続用光ファイバＦn1、Ｆ3n、Ｆn5、Ｆn7又は内部接続用光ファイバＦn2、Ｆ4n、Ｆn6、Ｆn8が省略されてもよい。このようにしても、光クロスコネクト部ＯＸＣ１〜ＯＸＣ４のうちの１つの光クロスコネクト部から出力された波長は他のいずれの光クロスコネクト部にも入力されることができる。
【００４８】
また、内部接続用光ファイバＦn1〜Ｆn8は、その本数は1本であったが、複数本から構成されたものであってもよい。
【００４９】
また、前述の実施例１(図２)および実施例５(図８)では、光クロスコネクト部ＯＸＣ１〜ＯＸＣ４は内部接続用光ファイバＦn1〜Ｆn8を介して内部接続されていたが、三次元導波路などを介して接続されてもよい。
【００５０】
また、前述の実施例１(図２)および実施例５(図８)では、光クロスコネクト装置ＯＸＣが４個の光クロスコネクト部ＯＸＣ１〜ＯＸＣ４から構成されていたが、５個以上の光クロスコネクト部から構成されてもよい。
【００５１】
その他、一々例示はしないが、本発明はその趣旨を逸脱しない範囲で種々変更を加え得るものである。
【符号の説明】
【００５２】
ＮＷ：光ネットワーク
ＯＸＣ：光クロスコネクト装置
ＯＸＣ１〜ＯＸＣ４：光クロスコネクト部
ＷＳＳ：波長選択スイッチ
Ｆi1〜Ｆim、Ｆim+1〜Ｆi2m、Ｆi2m+1〜Ｆi3m、Ｆi3m+1〜Ｆi4m：光入力ファイバ(ノード間接続用光ファイバ)
Ｆo1〜Ｆon、Ｆon+1〜Ｆo2n、Ｆo2n+1〜Ｆo3n、Ｆo3n+1〜Ｆo4n：光出力ファイバ(ノード間接続用光ファイバ)
Ｐi1〜Ｐim、Ｐim+1〜Ｐi2m、Ｐi2m+1〜Ｐi3m、Ｐi3m+1〜Ｐi4m：ノード間接続用入力ポート
Ｐo1〜Ｐon、Ｐon+1〜Ｐo2n、Ｐo2n+1〜Ｐo3n、Ｐo3n+1〜Ｐo4n：ノード間接続用出力ポート
Ｐni1〜Ｐni2、Ｐni3〜Ｐni4、Ｐni5〜Ｐni6、Ｐni7〜Ｐni8：内部接続用入力ポート
Ｐno1〜Ｐno2、Ｐno3〜Ｐno4、Ｐno5〜Ｐno6、Ｐno7〜Ｐno8：内部接続用出力ポート
Ｆn1〜Ｆn8：内部接続用光ファイバ
Ｇ：分光用グレーティング(分光素子)
ＭＭＡ：ＭＥＭＳミラーアレイ
ＬＣＯＳ：集積化液晶素子
Ｌ、Ｌ１、Ｌ２：集光レンズ
【図１】
2017152749.tif 000003
【図２】
2017152749.tif 000004
【図３】
2017152749.tif 000005
【図４】
2017152749.tif 000006
【図５】
2017152749.tif 000007
【図６】
2017152749.tif 000008
【図７】
2017152749.tif 000009
【図８】
2017152749.tif 000010
【図９】
2017152749.tif 000011
【図１０】
2017152749.tif 000012
【図１１】
2017152749.tif 000013
【図１２】
2017152749.tif 000014